(57)【要約】      （修正有）【課題】納骨室の内部空間を正面側から臨むことができる仏壇を提供する。【解決手段】住宅内に設置される仏壇１に六寸サイズの骨壺を一ないし複数個収納し得る内部空間を有する納骨室３を配し、納骨室３の内部空間を正面側から臨み得るように、納骨室３の開放部に、開閉自在の扉３５を設ける。【選択図】図１
0003197848.tif 000002
【実用新案登録請求の範囲】
【請求項１】
住宅内に設置される仏壇であって、
位牌や仏具を設置するための主室と、
少なくとも六寸サイズの骨壺が、一ないし複数個収納可能な内部空間を有する納骨室と、
を具備してなり、
前記納骨室が、内部空間を正面側から臨み得る開放部を有してなり、
前記開放部に開閉自在の扉が設けられてなることを特徴とする仏壇。
【請求項２】
請求項１に記載の仏壇において、
更に、骨壺が複数個収納可能な収納スペースを有する引き出し式の収納室を具備してなる仏壇。
【考案の詳細な説明】
【技術分野】
【０００１】
本考案は、住居内に設置される仏壇に関する。
【背景技術】
【０００２】
従来、火葬を終えた遺骨は、骨壺と称される容器内に収められたうえで、墓内に納骨されている。又、遺族が墓を所有していない場合にあっては、故人にゆかりがある寺院の納骨堂に収められていた。
【０００３】
しかしながら、近年、隔家庭化が進むにつれて、先祖代々の墓地やゆかりのある寺院が遺族の住居から遠くなる傾向がある。そして、このような遠隔地にある墓地に納骨した場合、十分なお参りができないことが遺族の心の負担となる。
【０００４】
そのため、いつまでも納骨をためらい、骨壺を家庭内に置いておくケースが増えてきている。又、故人と離れたくない心情から、納骨をせずに骨壺を家庭内に置いておく場合もある。
【０００５】
このような場合、遺族の住居の近くにある墓地を購入して、新たに墓石を立てて墓を造り、係る新たな墓に納骨することも一つの解決策であるが、墓地や墓石の購入には多額の費用が掛かり、実行が困難な場合が多い。
【０００６】
そのため、最近では、納骨室が設けられてなる仏壇が開発されている（例えば、下記特許文献１参照。）
【先行技術文献】
【特許文献】
【０００７】
【特許文献１】実用新案登録第３１５６５５４号公報
【考案の概要】
【考案が解決しようとする課題】
【０００８】
前記特許文献１に開示された仏壇は、墓石に模した全体形状を有してなり、仏壇の下部に設けられた空間を納骨室としたものである。そして、前記納骨室は、前記納骨室の天井壁となる拝石によって開閉可能となされている。
【０００９】
しかしながら、前記特許文献１に開示された仏壇では、前記納骨室につき、上部を開放し得る形態となされているため、前記納骨室に収められた骨壺を正面側から臨むことができない。
【００１０】
遺族にとって、骨壺を見ながら故人を偲びたい心情があるところ、納骨室に収められた骨壺を正面側から臨むことができない仏壇では、係る心情を十分に満たすことはできない。
【００１１】
本考案は、前記技術的課題を解決するために開発されたものであり、納骨室の内部空間を正面側から臨むことができる新規な仏壇を提供することを目的とする。
【課題を解決するための手段】
【００１２】
前記技術的課題を解決するために、本考案の仏壇は、住宅内に設置される仏壇であって、  位牌や仏具を設置するための主室と、六寸サイズの骨壺が収納可能な内部空間を有する納骨室と、を具備してなり、前記納骨室が、内部空間を正面側から臨み得る開放部を有してなり、前記開放部に開閉自在の扉が設けられてなることを特徴とする（以下、「本考案仏壇」と称する。）。
【００１３】
本考案仏壇においては、更に、骨壺が複数個収納可能な収納スペースを有する引き出し式の収納室を具備してなるものが好ましい態様となる。
【考案の効果】
【００１４】
本考案によれば、納骨室の内部空間を正面側から臨むことができ、骨壺を見ながら故人を偲びたい遺族の心情を満たすことができる。
【図面の簡単な説明】
【００１５】
【図１】図１（ａ）、（ｂ）は、実施形態１に係る本考案仏壇を示す斜視図である。
【図２】図２は、前記本考案仏壇に仏具を配し、更に、納骨室に骨壺を収めた状態を示す斜視図である。
【図３】図３（ａ）、（ｂ）は、実施形態２に係る本考案仏壇を示す斜視図である。
【図４】図４は、前記本考案仏壇に仏具を配し、更に、納骨室及び収納室に骨壺を収めた状態を示す斜視図である。
【考案を実施するための形態】
【００１６】
＜実施形態１＞
‐本考案仏壇１‐
図１に、実施形態１に係る本考案仏壇を示す。前記本考案仏壇１は、主室２と、納骨室３と、を具備する。
【００１７】
‐主室２‐
前記主室２は、主底板２１と、一対の主側板２２と、主背板２３と、主天板２４と、主扉２５と、を具備してなり、全体として中空の四角柱形状を有する。
【００１８】
又、前記主扉２５は、一対の折戸にて形成されており、前記主扉２５を開くことによって、前記主室２の内部空間を正面側から臨むことができる仕組みとなされている。
【００１９】
更に、前記主室２の内部は、三段に分かれている。このうち、最上段はいわゆる仏を祀るための須弥壇２６である。
【００２０】
又、各段の段差部分は、中空構造となっており、係る中空構造には、それぞれ引き出し（２７、２８）が挿入されている。この引き出し（２７、２８）には、主に線香やローソクなどの備品が収納される。
【００２１】
‐納骨室３‐
前記納骨室３は、前記主室２の内部空間中央に備えられている。図２に示すように、前記納骨室３の内部空間は、六寸サイズの骨壺１０を一つ収納し得る容積を有する。前記納骨室３は、底板３１と、一対の側板３２と、背板３３と、天板３４と、扉３５と、を具備してなり、全体として中空の四角柱形状を有する。
【００２２】
本実施形態においては、前記納骨室３を構成する底板３１及び背板３３につき、前記主室２を構成する主底板２１及び主背板２３と共通の部材とし、更に、前記納骨室３の天板３４によって前記須弥壇２６を構成することで、前記主室２内における前記納骨室３の内部空の拡充を実現している。又、前記扉３５は、観音開き式となされており、前記扉３５によって、前記納骨室３の前方側に存する開放部を閉じたり開いたりすることができる仕組みとなされている。
【００２３】
前記構成を有する本考案仏壇１は、前記扉３５を開くことによって、前記納骨室３の内部空間を正面側から臨むことができるから、前記扉３５を開けば、前記納骨室３内に収納されている骨壺１０を見ることができる。従って、遺族は、日常生活中、いつでも骨壺１０を見ることができ、骨壺１０を見ながら故人を偲びたい心情を満たすことができる。
【００２４】
又、本考案仏壇１は、住居内に設置されることを前提としているため、遺族が高齢であっても、いつでも弔うことができ、墓が無かったり、墓守がいなかったりして分骨が困難な場合にあっても、故人を大切にお守りできるものとなる。
【００２５】
更に、本考案仏壇１が備えられた住居に、家族や親戚が集まれば、天候等に関係なく、皆一同で弔うことができる。
【００２６】
加えて、本考案仏壇１は、前記納骨室３に開閉自在の扉３５を備えているため、家族や親戚以外の人が訪ねてきた場合には、前記扉３５を閉めて前記納骨室３内に存する骨壺１０を見えなくすることができ、故人と無関係な人に不必要な気遣いや不快感を感じさせずに済ますことができる。
【００２７】
＜実施形態２＞
‐本考案仏壇１‐
図３に、実施形態２に係る本考案仏壇を示す。前記本考案仏壇１は、主室２と、納骨室３と、を具備する。
【００２８】
‐主室２‐
前記主室２は、主底板２１と、一対の主側板２２と、主背板２３と、主天板２４と、主扉２５と、を具備してなり、全体として中空の四角柱形状を有する。
【００２９】
又、前記主扉２５は、観音開き式となされており、前記主扉２５を開くことによって、前記主室２の内部空間を正面側から臨むことができる仕組みとなされている。
【００３０】
更に、前記主室２の内部は、二段に分かれている。このうちの上段が須弥壇２６となる。
【００３１】
又、前記須弥壇の下部は、中空構造となっており、係る中空構造部分には引き出し式の収納室４が設けられている。図４に示すように、前記収納室４は、骨壺１０が複数個収納可能な収納スペースを有する
【００３２】
‐納骨室３‐
前記納骨室３は、前記主室２の下部に備えられている。図４に示すように、前記納骨室３の内部空間は、六寸サイズの骨壺１０を収納し得る容積を有する。前記納骨室３は、底板３１と、一対の側板３２と、背板３３と、天板３４と、扉３５と、を具備してなり、全体として中空の四角柱形状を有する。又、前記扉３５は、観音開き式となされている。
【００３３】
前記構成を有する本考案仏壇１は、前記扉３５を開くことによって、前記納骨室３の内部空間を正面側から臨むことができる仕組みとなされているから、前記扉３５を開けば、前記納骨室３内に収納されている骨壺１０を見ることができる。
【００３４】
又、本実施形態において、前記納骨室３につき、六寸サイズの骨壺１０を複数個収納し得る容積となされているため、近縁の故人が複数人いる場合にあっても、複数の個人を同時に弔うことができる。
【００３５】
更に、本実施形態においては、引き出し式の収納室４が設けられているため、係る収納室４に、遺族とは遠縁の故人の骨壺１０を収めることもできる。
【００３６】
その余は、前記実施形態１と同様であり、繰り返しの説明を避けるべく、ここでは説明を省略する。
【００３７】
なお、本考案は、その精神又は主要な特徴から逸脱することなく、他のいろいろな形で実施することができる。そのため、上述の実施形態はあらゆる点で単なる例示にすぎず、限定的に解釈してはならない。本考案の範囲は実用新案登録請求の範囲によって示すものであって、明細書本文には、なんら拘束されない。更に、実用新案登録請求の範囲の均等範囲に属する変形や変更は、全て本考案の範囲内のものである。
【産業上の利用可能性】
【００３８】
本考案は、住居内に設置される仏壇として好適に利用される。
【符号の説明】
【００３９】
１  本考案仏壇（仏壇）
２  主室
３  納骨室
３５  扉
４  収納室
１０  骨壺
【図１】
0003197848.tif 000003
【図２】
0003197848.tif 000004
【図３】
0003197848.tif 000005
【図４】
0003197848.tif 000006